(57)【要約】【課題】出産希望日の入力に基づいて、その出産希望日に近い日に計画出産を行うための妊娠推奨日を表示する。【解決手段】カレンダ−デ−タ生成手段と、体温測定手段と、生理初日日を入力する手段と、体温記憶手段と、基準体温演算手段と、排卵日検出手段とを備えてＭ周期にわたってのデータがあり、出産希望日を入力するとその出産希望日に近い妊娠推奨日を報知する。【選択図】図４
2010012091.tif 000002
【特許請求の範囲】
【請求項１】
２４時間経過する毎にカレンダ−に基づいた年、月、日のカレンダ−デ−タを生成するカレンダ−デ−タ生成手段と、
婦人の基礎体温を測定する体温測定手段と、婦人の各生理周期の生理初日日を入力する手段と、
入力された生理初日日を第１日とする各生理周期の周日デ−タを生成し、前記カレンダ−デ−タとともに記憶する手段と、
前記体温測定手段で測定された基礎体温を前記カレンダ−デ−タ及び周日デ−タとともに記憶する体温記憶手段と、
前記カレンダ−デ−タ及び周日デ−タとともに前記体温記憶手段に記憶された基礎体温に基づいて各生理周期の低温期と高温期の平均的体温となる基準体温を演算する基準体温演算手段と、
生理周期における婦人の頸管粘液の各日の伸び長さに応じた入力をする粘液伸長入力手段と、生理周期の生理初日日から所定日数以上経過したこと、及び前記基準体温よりも高く、且つ、生理周期の最低体温よりも所定温度以上高い日が当日を含め所定日数以上続いたことの二つの条件を満たしたとき、当日の所定日数前を今回の生理周期の排卵日と判定する排卵日検出手段とを備えてＭ周期にわたってのデータを記憶し、
出産希望日を入力すると、前記Ｍ周期にわたるデータから、平均周日数（Ｓ）と平均排卵日（Ｔ）を求め、今回を含む次回以後の各生理周期の生理初日日を前記平均周日数（Ｓ）から求め、
各周期における生理初日日から前記平均排卵日（Ｔ）を加算した日を妊娠推奨日として報知する婦人用体温計。
【請求項２】
請求項１の婦人用体温計であって、前記妊娠推奨日から所定日数後を予想出産日として報知する婦人用体温計。
【請求項３】
請求項１の婦人用体温計であって、前記妊娠推奨日の前後所定日数を妊娠可能期間として報知する婦人用体温計。
【請求項４】
請求項１の婦人用体温計であって、前記妊娠推奨日の後、高温期が所定日数以上継続したとき、その婦人が妊娠したと判定して妊娠した旨を報知する婦人用体温計。
【発明の詳細な説明】
【技術分野】
【０００１】
本発明は、出産希望日の入力に基づいて、その出産希望日に近い日に、計画出産を行うための妊娠推奨日を表示できるようにした婦人用体温計であり、より詳しくは生理初日日、基準体温、婦人の頸管粘液（おりもの）の伸びの長さ等のデータを基に、出産希望日に近い日に、計画出産が行える妊娠推奨日を表示する婦人用体温計に関する。
【背景技術】
【０００２】
従来、妊娠可能期間の判定が、より正確にできる婦人用体温計として特開平５−３３７１１５号公報がある。
この公報の婦人用体温計は、婦人の頸管粘液（おりもの）の伸びの長さを妊娠可能期間判定要素の一つにすることにより、妊娠可能期間の判定をより正確にするものであり、妊娠したときには出産予定日を表示する。
【０００３】
【特許文献１】特開平５−３３７１１５号公報
【発明の開示】
【発明が解決しようとする課題】
【０００４】
近年、婦人が企業等に勤務することが多くなり、勤務の都合等から、出産する時期を選択する必要性がある。前記従来の婦人用体温計では妊娠可能期間の判定をするものであり、その妊娠可能期間に妊娠した場合に、日数演算をして出産予定日を算出しているが、本当に希望した時期の出産ではない場合もある。又、計画出産を希望したときには、従来の婦人体温計では妊娠しないと出産予定日が判らないため、前もって、出産予定日を知ることができないという課題がある。
そこで、本願発明は、出産希望日を入力すると、その出産希望日の近くで出産可能な妊娠推奨日を表示するという婦人用体温計を提供するものである。
【課題を解決するための手段】
【０００５】
本願の請求項１の婦人用体温計は、２４時間経過する毎にカレンダ−に基づいた年、月、日のカレンダ−デ−タを生成するカレンダ−デ−タ生成手段と、
婦人の基礎体温を測定する体温測定手段と、婦人の各生理周期の生理初日日を入力する手段と、
入力された生理初日日を第１日とする各生理周期の周日デ−タを生成し、前記カレンダ−デ−タとともに記憶する手段と、
前記体温測定手段で測定された基礎体温を前記カレンダ−デ−タ及び周日デ−タとともに記憶する体温記憶手段と、
前記カレンダ−デ−タ及び周日デ−タとともに前記体温記憶手段に記憶された基礎体温に基づいて各生理周期の低温期と高温期の平均的体温となる基準体温を演算する基準体温演算手段と、
生理周期における婦人の頸管粘液の各日の伸び長さに応じた入力をする粘液伸長入力手段と、生理周期の生理初日日から所定日数以上経過したこと、及び前記基準体温よりも高く、且つ、生理周期の最低体温よりも所定温度以上高い日が当日を含め所定日数以上続いたことの二つの条件を満たしたとき、当日の所定日数前を今回の生理周期の排卵日と判定する排卵日検出手段とを備えていて、Ｍ周期にわたってのデータがある。
【０００６】
そこで、出産希望日を入力すると、前記Ｍ周期にわたるデータから、平均周日数（Ｓ）と平均排卵日（Ｔ）を求め、
今回を含む次回以後の各生理周期の生理初日日を前記平均周日数（Ｓ）から求め、各周期における生理初日日から前記平均排卵日（Ｔ）を加算した日を妊娠推奨日として報知する。
【０００７】
又、請求項２の婦人用体温計は、前記妊娠推奨日から所定日数後を予想出産日として報知する。
請求項３の婦人用体温計は、妊娠推奨日の前後所定日数を妊娠可能期間として報知する
又、請求項４の婦人用体温計は、妊娠推奨日の後、高温期が所定日数以上継続したとき、その婦人が妊娠したと判定して、妊娠した旨を報知する。
【発明の効果】
【０００８】
請求項１の婦人用体温計は、出産希望日を入力すると、その出産希望日に近い日に計画出産を行うための妊娠推奨日を報知する。
又、請求項２の婦人用体温計は、妊娠推奨日の他に予想出産日を報知し、請求項３の婦人用体温計は妊娠推奨日の前後所定日数を妊娠可能期間として報知し、請求項４の婦人用体温計は、妊娠推奨日の後、高温期が所定日数以上継続したとき、その婦人が妊娠したと判定して、妊娠した旨を報知する。
【発明を実施するための最良の形態】
【０００９】
次に、図面を参照しながら、本発明の妊娠推奨日が判る婦人用体温計の実施例を説明する。
図１は、婦人用体温計１の蓋を開いた姿態を示し、中央部には図１（Ａ）に示すような種々の情報を表示する液晶表示器２が配置してある。又、この液晶表示器２の下部には、左端部から、「測定ボタンＡ」、「取消しボタンＢ」、「確定・メニューボタンＣ」、「左シフト・呼び出しボタンＤ」、「右シフト・ハートボタンＥ」、「アラーム・時計設定ボタンＦ」、液晶表示器のバックライトが点灯する「ライトボタンＧ」が配置してある。
【００１０】
又、この婦人用体温計１に内蔵の制御装置のブロック図は、図２に示すように、ＣＰＵ、ＲＡＭ、制御ソフトウエアを記憶のＲＯＭ及び入出力インターフェース等を備えている。そして、前記各種のボタンＡ〜Ｇは入力インターフェース１２を介して接続してあり、液晶表示器２は出力インターフェース１３を介して接続してある。又、舌の下で体温を測定する体温計５は、Ａ／Ｄコンバータ１１を介して接続してあり、警報等を報知するブザー１５を備えている。又、その他、出力を印字するプリンタ１６、データを通信するパソコンへ接続する接続端子（図示略）等を備えている。
【００１１】
次に、婦人用体温計１に備えている種々の機能について説明する。
（１）カレンダ−デ−タ生成手段
このカレンダ−デ−タ生成は、日時の設定を行うものであり、時刻は電波時計による設定と手動設定がある。
（イ）電波時計による設定
時計表示状態（図１（Ｂ）に示す）で「アラーム・時計設定ボタンＦ」を２〜３秒間押すと、ピッー、ピッーとアラームが鳴って、受信マークを表示して電波時計の受信を開始し、２〜３分後にピッーと鳴って受信が完了する。以後、この電波時計は毎日自動で定期的に時刻を合わせる。
【００１２】
（ロ）年月日＆時計機能の手動設定
「確定・メニューボタンＣ」を押して、時計のキャラクタを「シフトボタン」で選定して「確定ボタン」を押す。そして、「シフトボタン」で年度を合わせて「確定ボタン」を押す。次に、月に対して「シフトボタン」で月を合わせて「確定ボタン」を押す。そして、日に対して「シフトボタン」で日を合わせて「確定ボタン」を押す。次に、時間に対して、「シフトボタン」で時間を合わせて「確定ボタン」を押し、分に対して「シフトボタン」で分を合わせて「確定ボタン」を押す。そして、最後に、秒に対して「シフトボタン」で秒を合わせて「確定ボタン」を押す。
以上によって、年月日の表示設定と時刻の表示設定を行うことができる。
【００１３】
（２）アラ−ム機構
婦人用体温計１はアラ−ム機能を有しており、予め設定されたアラ−ム時刻になると、内蔵されたブザー１５から約１０分間アラ−ム信号音が出力され、婦人の基礎体温の測定を促す一方、アラ−ム設定時刻の±１時間の間、ＡＬＭマ−ク（アラ−ムマ−ク）が点滅し、体温測定時間であることを報知する。
そして、ＡＬＭマ−クが点滅している間に、体温センサ５を用いて婦人の体温が測定されると、後述の測温アルゴリズムに基づいて基礎体温が確定され、制御装置に備えてある記憶媒体に記憶される。
【００１４】
尚、上記アラ−ム時刻を設定する場合は、時計表示状態で「アラーム・時計設定ボタンＦ」を押して、「シフトボタン」でアラーム時を合わせて「確定ボタン」を押し、アラーム分に対して「シフトボタン」で合わせて「確定ボタン」を押すことによって、アラーム時刻の設定ができる。
【００１５】
（３）体温測定手段
前記アラ−ム時刻でアラームが鳴った後、体温センサ５が婦人の口腔部（舌の下）に挿入された状態で「測定ボタンＡ」を押すと、測温動作が開始される。
この測温動作が開始されると、約１秒間の信号音がブザー１５から発せられ、測温値の表示に替わる。この測温のアルゴリズムは次の通りである。
（イ）測温開始後３０秒経過した。
（ロ）上記３０秒間で測定温度の変動が０．０２℃以内に納った。
（ハ）上記（イ）、（ロ）項の間で測定温度が０．２℃以上変化したときは測温エラ−とする。
（ニ）上記（１）、（２）項を全て満たしたとき、測温が確定したとして約１秒間の信号音を出力するとともに（ロ）項の３０秒間における最高温度を測定温度デ−タ（基礎体温）とする。
尚、測温開始後５分以内に測温が確定しても、婦人がそのまま測温状態を継続した場合、測温開始後５分間の最高温度を測定温度デ−タ（基礎体温）とする。  また、測温開始後５分間経過しても測温が確定しない場合は、測温を終了し、５分間の最高温度を測定温度デ−タ（基礎体温）とする。
【００１６】
尚、測温は、正確を期すために、２回目、３回目と、測定可能になっている。又、測温をやり直したときには、「取消しボタンＢ」を押しながら「測定ボタンＡ」を押し、その間に「確定ボタン」を押し、その後に、「測定ボタンＡ」を押して再測定する。
以上のように、日時（カレンダ−デ−タ）及び周日デ−タと共に測定温度デ−タ（基礎体温）が体温記憶手段で記憶される。
【００１７】
（４）生理初日日の入力
婦人が生理に入った生理初日日に、時計表示状態で「確定・メニューボタンＣ」を押して、生理記録のキャラクタを「シフトボタン」で選定して「確定ボタン」を押すと、この日時が生理初日として記録されると、制御装置は生理初日日を第１日とする生理周日デ−タを生成し、日付デ−タとともに記憶する。
尚、時計表示状態で「確定・メニューボタンＣ」を押して、生理取消しキャラクタを「シフトボタン」で選定して「確定ボタン」を押すと、生理初日が取消される。
【００１８】
（５）基準体温演算手段
基準体温は、婦人の生理周期における低温期の平均体温と高温期の平均体温の平均値である。
図３は、婦人の一生理周期における低温期（Ｌ）と高温期（Ｈ）の基礎体温をグラフ状に示したものである。
尚、基準体温は低温期（Ｌ）及び高温期（Ｈ）全ての日の基礎体温に基づく平均体温ではなく、低温期の平均体温は排卵日Ｐの前１日Ｌ１を除いたＬｘ（８日間）の基礎体温を平均したものであり、高温期の平均体温は排卵日Ｐの後１日Ｈ１を除いたＨｘ（８日間）の基礎体温を平均したものである。
以上のようにして算出された基準体温は、その前の生理周期における基準体温と平均計算され、その平均計算された基準体温が今回の生理周期の基準体温として採用される。
【００１９】
（６）排卵日検出手段
（ａ）生理初日日から７日（生理周日で８日）以上経過しているという状態のもとで、当日の体温が基準体温よりも高く、且つ、今回の生理周期の最低体温よりも０．３℃以上高い日がその日を含め３日続いた場合、その日の３日前を今回の生理周期における排卵日とする。
但し、当日の基礎体温が前日の体温よりも高い場合は、もう１日前を排卵日とする。
（ｂ）生理初日日から７日（生理周日で８日）以上経過しているという状態のもとで、当日の体温が基準体温よりも高く、且つ、今回の生理周期の最低体温よりも０．３℃以上高い日が、その日を含め、４日の内３日あれば当日の４日前を今回の生理周期における排卵日とする。
但し、当日の基礎体温が前日の体温よりも高い場合は、もう１日前を排卵日とする。従って、体温が基準体温よりも高く、且つ、今回の生理周期の最低体温よりも０．３℃以上高い日が３日または４日の内３日以上続いた最初の日の前日または前々日が今回の生理周期における排卵日となる。
【００２０】
（７）粘液伸長入力手段
頸管粘液（おりもの）の伸び長さの入力は、生理初日日から数日経過して頸管粘液が排出され始めたときから、毎日、その頸管粘液を例えば親指と人指し指の間で引き伸ばすことにより、その引き伸ばし長さに応じて入力する。この入力は、時計表示状態で「確定・メニューボタンＣ」を押して、３段階を示すおりもののキャラクタを「シフトボタン」で選定して「確定ボタン」を押すと、何れの段階であるかの入力ができる。
尚、３段階の区分は、引き伸ばし長さで区分し、その３段階には、
（ａ）頸管粘液が殆ど伸びない状態のとき（第１段階）
（ｂ）頸管粘液が５cm前後伸びたとき（第２段階）
（ｃ）頸管粘液が１０〜１５cm位まで伸びたとき（第３段階）
があり、頸管粘液伸長度が生理周期の周日デ−タとともに登録される。
【００２１】
以上のように各要因が確定されることにより、今回の妊娠可能期間の判定が下記の要領でされる。尚、以下に記載するＭ周期データとは、有効なＭ周期のデータである。
（ａ）妊娠可能開始時期
今回の生理周期において、過去のＭ生理周期の「最短生理日数−１９」の周日、もしくは過去のＭ生理周期の生理初日日から排卵日までの「最短日数−５」の周日の何れか、少ない日数から妊娠可能時期が開始される。
（ｂ）妊娠可能終了時期
今回の生理周期において、排卵日Ｐが検出されているという条件の元で、頸管粘液（おりもの）の伸びの長さが減少を始めた日の２日後に今回の生理周期における妊娠可能期間が終了する。
尚、頸管粘液（おりもの）の伸長手段を利用しない場合には、排卵日Ｐを検出した日の翌日に終了する。
また、次回以後の妊娠可能期間も各々の生理周期において前記（ａ）（ｂ）の条件で規定する。
【００２２】
（８）妊娠判定手段
前記（６）の排卵日検出手段により排卵日を判定し、その日以降に高温期が所定日数以上継続したとき、妊娠したと判定し、その旨を報知する。
【００２３】
以上のように、婦人用体温計には、少なくとも規定周期Ｍにわたる測定温度デ−タ（基礎体温）、生理初日日、頸管粘液（おりもの）の伸び長さの入力により、排卵日の算出、妊娠可能期間の推定を行う。尚、出産希望日に対する所定日数（２６５日）前を理想妊娠日と称し、妊娠推奨日に対する所定日数（２６５日）後を予想出産日と称する。
次に、婦人用体温計に出産希望日を入力すると、妊娠推奨日（排卵日）と予想出産日を表示する制御フローについて、図４を参照して説明する。
この制御フローは、先ず、出産希望日を入力する（Ｓ１）。
尚、この出産希望日の入力方法は、時計表示状態で「確定・メニューボタンＣ」を押して、「シフトボタン」で出産希望日を入力可能なキャラクタを選定する。  そして、出産希望日を入力するために日時選択を指定して、＊＊年＊＊月＊＊日を入力する。
【００２４】
次に、この出産希望日に対して、本日が、その出産希望日より所定日数（２６５日）より前（理想妊娠日）であるか否かを判断し（Ｓ２）、前であるときには、出産希望日には出産が不可能であるので、「出産希望日での出産は不可であるので、更に、先の希望日を入力して下さい」というメッセージを表示する（Ｓ３）。
一方、所定日数（２６５日）より後のときには、出産が可能であるが、過去のデータが揃っているか否かを判断し（Ｓ４）、揃っていないときには、「データ不足」というメッセージを表示する（Ｓ５）。
このデータ不足の一因には、生理初日日から次の生理初日日の前日である一般的に２８〜３０日を一周期とする生理周期が、規定周期Ｍに満たないデータしかないときである。
【００２５】
この規定周期Ｍは、例えば、前記妊娠開始日を推定するに当たって、直近のＭ周期、例えば、５周期が必要であり、この規定周期Ｍに満たない状態のときや排卵回数が直近のＭ周期を満たさないとき、或いは、直近のＭ周期のデータに自動生理周期（周日１００日以上）がないとき等である。
この様に、規定周期Ｍに満たないデータしかないときには、本願の目的である出産希望日に対する妊娠推奨日が算出できないので、その旨の表示をする（Ｓ５）。
【００２６】
一方、過去のデータが揃っている時には、前記Ｓ１で入力の出産希望日から所定日数（２６５日）前の理想妊娠日を算出する（Ｓ６）。そして、その理想妊娠日を含む生理周期（今回の生理周期）を「Ｎ−１」、次回の生理周期を「Ｎ」、次々回の生理周期を「Ｎ＋１」とする。
又、平均周日数（Ｓ）は、過去のＭ周期（生理初日から次回の生理初日−１）における平均であり、平均排卵日（Ｔ）は排卵日の算出から求める過去のＭ周期（生理初日から次回の生理初日−１）における平均である。
【００２７】
そして、
（ａ）前記「Ｎ−１」周期の生理初日日に対し、前記した要領で「今回の生理周期における妊娠可能期間」を算出すると共に、生理初日日に平均排卵日（Ｔ）を加算した日時を妊娠推奨日（予想排卵日）とする（Ｓ１０）。
尚、「Ｎ−１」周期において、本日が妊娠推奨日前であるか否かを判定し（Ｓ１１）、本日が、既に、妊娠推奨日を過ぎている場合には、今回の周期においては「妊娠推奨日がありません」との旨を表示する（Ｓ１２）。
一方、本日が妊娠推奨日前であるときには、この妊娠推奨日から所定日数（２６５日）を加算した日時を予想出産日として求め（Ｓ１３）、「Ｎ−１」周期、妊娠推奨日、予想出産日を表示する（Ｓ１４）。
【００２８】
（ｂ）次に、前記「Ｎ」周期の生理初日日は、「Ｎ−１」周期の生理初日日に対し平均周日数（Ｓ）を加算して求める。そして、この「Ｎ」周期の生理初日日に対し、前記「Ｎ−１」周期と同様に、「妊娠可能期間」を算出すると共に、平均排卵日（Ｔ）を加算した日時を妊娠推奨日（予想排卵日）として求める（Ｓ２０）。そして、この妊娠推奨日から所定日数（２６５日）を加算した日時を予想出産日とし（Ｓ２１）、「Ｎ」周期、妊娠推奨日、予想出産日を表示する（Ｓ２２）。
【００２９】
（ｃ）次に、前記「Ｎ＋１」周期の生理初日日は、「Ｎ」周期の生理初日日に対し平均周日数（Ｓ）を加算して求める。そして、この「Ｎ＋１」周期の生理初日日に対し、前記「Ｎ」周期と同様に、「妊娠可能期間」を算出すると共に、平均排卵日（Ｔ）を加算した日時を妊娠推奨日（予想排卵日）として求める（Ｓ３０）。そして、この妊娠推奨日から所定日数（２６５日）を加算した日時を予想出産日とし（Ｓ３１）、「Ｎ＋１」周期、妊娠推奨日、予想出産日を表示する（Ｓ３２）。
尚、出産希望日の入力を行った日以降に、新しい生理周期に入り、生理初日日の設定を行った場合、最新データに基づいて、それぞれ、再計算を行い、妊娠推奨日の該当周期のデータをより正確に算出する。
【００３０】
以上によって、出産希望日を入力すると、その出産希望日の近くで出産可能な妊娠推奨日、予想出産日を３周期にわたって表示するという婦人用体温計であるが、更に、多くの周期を表示してもよい。
【図面の簡単な説明】
【００３１】
【図１】（Ａ）は蓋を開けた婦人用体温計の斜視図、（Ｂ）は表示器の表示態様である。
【図２】制御装置のブロック図である。
【図３】婦人の一生理周期における低温期（Ｌ）と高温期（Ｈ）の基礎体温をグラフ状に示したものである。
【図４】制御フロー図である。
【符号の説明】
【００３２】
１  婦人用体温計
２  液晶表示器
Ａ  測定ボタン
Ｂ  取消しボタン
Ｃ  確定・メニューボタン
Ｄ  左シフト・呼び出しボタン
Ｅ  右シフト・ハートボタン
Ｆ  アラーム・時計設定ボタン
Ｇ  ライトボタン
【図１】
2010012091.tif 000003
【図２】
2010012091.tif 000004
【図３】
2010012091.tif 000005
【図４】
2010012091.tif 000006